(57)【要約】【課題】大剣部と小剣部を有するネクタイを装着してワイシャツを固定するネクタイ止めに関し，ネクタイ止めが表面に表われない使用形態と，表面に表われる使用形態のいずれにも適用できるネクタイ止めを実現する。【解決手段】滑り止め機能を有する二個の滑り止め挟み部を一体化してダブル構造とし，ネクタイ止めがネクタイの表面に表われない使用形態では，大剣部裏側の左折り返し部と小剣部およびワイシャツを分離して固定する。一方，ネクタイ止めがネクタイの表面に表われる使用形態では，大剣部と小剣部およびワイシャツを分離して固定する。【選択図】図１
0003128742.tif 000002
【実用新案登録請求の範囲】
【請求項１】
大剣部と小剣部を有するネクタイを装着してワイシャツに固定するネクタイ止めに関し，滑り止め機能を有する二個の滑り止め挟み部を一体化してダブル構造とし，ネクタイ止めがネクタイの表面に表われない使用形態では，一方の滑り止め挟み部で大剣部裏側の左折り返し部を挟み込み，他方の滑り止め挟み部で小剣部ならびにワイシャツを挟み込む，一方，ネクタイ止めがネクタイの表面に表われる使用形態では，一方の滑り止め挟み部で大剣部を挟みこみ，他方の滑り止め挟み部で小剣部ならびにワイシャツを挟み込むことにより，ネクタイ止めがネクタイの表面に表われない使用形態，ならびに表面に表われる使用形態の何れに対しても適用でき，操作性に優れ，コンパクトかつ安定した滑り止め効果が得られるネクタイダブルホルダー。
【考案の詳細な説明】
【技術分野】
【０００１】ネクタイは着用者の趣味嗜好が極めて強いため，デザインや絵柄をネクタイ止めで阻害されることを嫌がる人が多くなり，近年はネクタイ止めを使用しない人が増えている。しかし，ネクタイ止めを使用しない場合は，強風時にネクタイが跳ね上がったり，前かがみになった場合に他との接触で汚れたり，濡れなどのトラブルが起き易いとともに，ネクタイが揺れている状態は見た目に良くないなどの問題がある。このため，ネクタイの表面には表れないタイプのネクタイ止めが種々提案されているが，いずれも制約条件が有ったり，構成や操作が複雑であるなど，種々の問題を抱えている。一方，ネクタイ止めが表面に表われる一般的なネクタイ止めにおいても，滑り止め機能を有する一個の挟み部で，大剣部，小剣部，ならびにワイシャツを重ねて一挙に挟み込むため，中間の小剣部は滑り止めに接触せず，滑り易いとともに，ネクタイの材質として絹のようなすべり安い材質も多く使用されるなど，ネクタイがネクタイ止めから外れ易い欠点を有している。
【背景技術】
【０００２】ネクタイの表面に表われない使用形態のネクタイ止めとしては，ネクタイ自体に何らかの細工を施すものが多く，細工を施すこと自体，簡単では無いとともに，細工されていないネクタイは使用できないなどの問題が有る。また，ネクタイの大剣部の裏面に取り付けられているループ部を止め材として利用する方法なども提案されているが，ループ部が大剣部に必ず取り付けられているとは限らず，メーカーのブランドタグの場合は，取り付け強度が保障されている訳ではないなど，いずれも制約条件が有ったり，複雑であるなど，種々の難点を有している。一方，ネクタイ止めが表面に表われる一般的なタイプにおいても，滑り止め機能を有する一個の挟み部で，大剣部，小剣部，ならびにワイシャツを重ねて一挙に挟み込むため，中間の小剣部は滑り止めに触れず滑り易いとともに，ネクタイの材質として絹のようなすべり安い材質も多く使用されるなど，ネクタイがネクタイ止めから外れ易い欠点を有している。
【考案が解決しようとする課題】
【０００３】大剣部と小剣部を有するネクタイを装着してワイシャツに固定するネクタイ止めに関し，ネクタイ止めが表面に表れない使用形態と，ネクタイ止めが表面に表われる使用形態の何れにも適用できるネクタイ止めを実現する。表面に表われない使用形態では，大剣部裏側の左折り返し部と小剣部およびワイシャツを分離して固定する。一方ネクタイ止めが表面に表われる使用形態では，大剣部と小剣部およびワイシャツを分離して固定することにより，操作性に優れコンパクトかつ安定した滑り止め効果が得られる。
【課題を解決するための手段】
【０００４】滑り止め機能を有する二個の滑り止め挟み部を一体化してダブル構造とし，それぞれの滑り止め挟み部はいずれも上下両面に滑り止め機能を備える。ネクタイ止めがネクタイの表面に表れない使用形態では，一方の滑り止め挟み部には大剣部裏側の左折り返し部を挟み，他方の滑り止め挟み部には小剣部とワイシャツを挟み込む。一方，ネクタイ止めがネクタイの表面に表われる使用形態では，一方の滑り止め挟み部に大剣部を挟み込み，他方の滑り止め挟み部に小剣部ならびにワイシャツを挟み込む。
【考案の効果】
【０００５】ネクタイ止めがネクタイの表面に表われない使用形態では，一方の滑り止め部には大剣部裏側の左折り返し部を挟み，他方の滑り止め部には小剣部とワイシャツを挟みこむことにより，大剣部裏側，小剣部ならびにワイシャツそれぞれに滑り止め機能が触れて有効に作用する。一方，ネクタイ止めがネクタイの表面に表われる使用形態では，一方の滑り止め挟み部に大剣部を挟みこみ，他方の滑り止め挟み部には小剣部ならびにワイシャツを挟み込むことにより，大剣部，小剣部ならびにワイシャツそれぞれに滑り止め機能が触れて有効に作用する。特に，ネクタイ止めがネクタイの表面に表われない使用形態における大剣部裏側の左折り返し部に関しては，布が薄いため，滑り止め機能が作用し難いため，本提案による，他の布とは分離して単独に挟み込むことは極めて有効であるとともに，ネクタイ止めがネクタイの表面に表われる使用形態においても，大剣部を単独に挟み込むことは極めて有効である。また，大剣部，小剣部ならびにワイシャツを重ねて一挙に挟み込む従来の方法と比較すれば，挟み込む布の厚みは薄くなるため，滑り止め挟み部の開口幅を従来のように大きく開く必要はなく，コンパクトなネクタイ止めが構成される。この結果，ネクタイダブルホルダーは，二個の滑り止め挟み部が平行に近い配置で構成できるため，ネクタイ止めをネクタイ，ワイシャツに装着した場合に，不自然な突起が発生しない。さらに，滑り止め挟み部が一体化されてダブル構造とされているため，装着時にネクタイ止めの上面と下面の後端を摘めば両方の滑り止め挟み部が同時に開口するため，操作は極めて簡単である。また，ネクタイ止めがネクタイの表面に表われない使用形態に限定すれば，上，下面の装飾は不要であり，大幅な低価格化が図られる。ネクタイ止めがネクタイの表面に表われる使用形態に限定すれば，ネクタイ止めの上面，下面の両面をそれぞれ装飾しておくことにより，好みで装飾を選択できる。以上説明したように，本提案によるネクタイダブルホルダーは，操作性に優れ，コンパクトかつ安定した滑り止め効果が得られる新規なネクタイ止めを提供する。
【考案を実施するための最良の形態】
【０００６】図１はネクタイの表面にネクタイ止めが表われない使用形態で，ネクタイにネクタイダブルホルダー６を装着した概念図を示す。ネクタイダブルホルダーの一方の滑り止め挟み部下１１に大剣部１の中央線４の左側折り返し部３が挿入され，他方の滑り止め挟み部上１０に小剣部ならびにワイシャツが挿入されて，ネクタイの大剣部１と小剣部２がワイシャ７に固定される。５はネクタイに取り付けられているループを示す。一般的にネクタイの大剣部裏側の左折り返し部は適度な間隔で糸で縫い付けられているため，左側折り返し部３を一方の滑り止め挟み部に挿入する場合は，縫い付けの間を通す。【０００７】図２は従来からの一般的なネクタイ止めの装着状態を示す概念図であり，８はネクタイ止め，９は滑り止め挟み部であり，大剣部１，小剣部２，ワイシャツ７は重ねて一挙に挟まれており，小剣部は滑り止めが機能しないため，滑り止め機能は不安定である。【０００８】図３は本考案によるネクタイダブルホルダーの斜視図である。２個の滑り止め挟み部１０，１１が一体化してダブル構造にされており，大剣部と小剣部およびワイシャツを夫々の滑り止め挟み部で挟むため，ワイシャツを含めて全ての布が滑り止めに触れ，滑り止め作用が有効に機能するとともに，挟む布の厚さが薄くなり，挟み込みのための開口幅が小さく出来るために，滑り止め挟み部上１０，ならびに下１１はお互いに平行に近い構成が可能となり，ネクタイをワイシャツに挿入した状態で不自然な出っ張りが発生しない。さらに，滑り止め挟み部は上下の後端を摘むことにより，滑り止め挟み部１０と１１を同時に開閉できるため，優れた操作性を実現できる。【０００９】ネクタイの表面にネクタイ止めが表われる使用形態で使用する場合は，大剣部を一方の滑り止め挟み部に挿入し，小剣部ならびにワイシャツを他方の滑り止め挟み部に挿入すれば良く，本考案によるネクタイダブルホルダーはネクタイ止めがネクタイの表面に表われない使用形態，ならびに表われる使用形態のいずれにも適用可能である。
【実施例】
【００１０】ネクタイダブルホルダーは金属材で構成され，滑り止め挟み部は厚みを３ｍｍ，滑り止め機能としてはワニ歯タイプを使用した。滑り止め挟み部間は支点で結ばれ，バネ圧で挟み力が与えられている。滑り止めはさみ部の幅は６ｍｍとし，長さはネクタイの大剣部の幅を考慮して５０ｍｍとし，夫々のストッパー間隔は８ｍｍで構成した。素材は金属に限定されず，合成樹脂材も使用可能であるとともに，各種ディメンジョンは素材などの条件で変更される。また，滑り止め機能としても各種の方法が実用化されており，ワニ歯でなく合成ゴムなどの摩擦の大きな素材を使用することも出来るとともに，板バネ材でネクタイダブルホルダーを構成することも出来る。ネクタイダブルホルダーをネクタイの表面に表れない使用形態に限る場合は装飾や高級な処理は不要であるが，表面に表われる使用形態の場合はネクタイダブルホルダーの上面，下面に装飾を施したり，高級な処理が必要になり，上面，下面に異なった装飾を施した場合は，好みによってデザインを使い分けることも可能となる。以上説明するように，本考案は，本実施例に限定されることは無く，本考案の趣旨を逸脱しない範囲で種種変形実施が可能である。
【図面の簡単な説明】
【００１１】
【図１】ネクタイの表面にネクタイ止めが表われない使用形態において，ネクタイにネクタイダブルホルダーを装着した概念図。
【図２】従来からの一般的なネクタイ止めの装着状態を示す概念図。
【図３】本考案によるネクタイダブルホルダーの概略斜視図。
【符号の説明】
１大剣部
２小剣部
３左側折り返し部
４中央線
５ループ
６ネクタイダブルホルダー
７ワイシャツ
８ネクタイ止め
９挟み部
１０滑り止め挟み部上
１１滑り止め挟み部下
【図１】
0003128742.tif 000003
【図２】
0003128742.tif 000004
【図３】
0003128742.tif 000005